(57)【要約】【課題】集合住宅の住戸でセキュリティの異常が起きると、予め指定した他の住戸でも連動して警報出力する機能を有した集合住宅用インターホンシステムを提供する。【解決手段】通信制御装置１３は、住戸毎に、セキュリティセンサ２０が異常を検知したときに連動して警報を出力させるべき住戸親機１２を指定した連動住戸情報を登録する記憶部１３ｉと、住戸親機１２から異常検知信号が送信されてきたときには、連動して警報を出力させるために、連動住戸情報に従って、対応した住戸に設置された住戸親機１２に連動指令信号を送信する連動制御部１３ｎとを備え、集合住宅用インターホンシステムは、その連動住戸情報を入力する操作部装置１５を更に備えている。【選択図】図１
2010050888.tif 000002
【特許請求の範囲】
【請求項１】
住棟ロビーに設置されたロビー機と、前記住棟の各住戸に設置され、セキュリティセンサを備え、住戸内の異常を検知すると警報を出力する住戸親機と、前記ロビー機と前記住戸親機との間の通信を制御する通信制御装置とで構成された集合住宅用インターホンシステムにおいて、
前記通信制御装置は、
前記住戸毎に、前記セキュリティセンサが異常を検知したときに連動して警報を出力させるべき住戸親機を指定した連動住戸情報を登録する記憶部と、
前記住戸親機から異常検知信号が送信されてきたときには、連動して警報を出力させるために、前記連動住戸情報に従って、対応した住戸に設置された住戸親機に連動指令信号を送信する連動制御部とを備え、
前記集合住宅用インターホンシステムは、前記連動住戸情報を操作入力する操作装置を更に備えた集合住宅用インターホンシステム。
【請求項２】
請求項１において、
前記操作装置は、前記通信制御装置に一体として組み込まれた集合住宅用インターホンシステム。
【請求項３】
請求項１において、
前記操作装置は、前記住戸親機に一体として組み込まれた集合住宅用インターホンシステム。
【発明の詳細な説明】
【技術分野】
【０００１】
本発明は、住棟ロビーに設置されたロビー機と、住棟の各住戸に設置された住戸親機と、そのロビー機と住戸親機との間の通信を制御する通信制御装置とで構成された集合住宅用インターホンシステムの改良に関する。
【背景技術】
【０００２】
近年、集合住宅が多様化から、メゾネット形式等の２世帯向け住戸を同一住棟内に配置したマンション等が開発されている。また、１家族が同一住棟内の２住戸に別れて入居する例もある。
【０００３】
このような状況に対処した従来技術の例として、次の特許文献１には、複数の住宅に設置される住宅情報盤と、共同玄関に配置され住宅情報盤との間で通話可能なロビーインターホンと、ロビーインターホンにより呼び出される住宅情報盤が設定される警報監視盤とから構成される集合住宅用通話システムにおいて、警報監視盤は、連動して動作する住宅情報盤を予め設定する連動設定記憶手段を備え、該連動設定記憶手段に設定されている住宅情報盤がロビーインターホンにて呼び出された際、連動設定された住宅情報盤も呼び出しする構成が開示されている。この構成では、ロビーインターホンにより、同一住棟内の２世帯住戸、あるいは１家族が別れて入居した２住戸の一方の住宅情報盤を呼び出すと、他方の住宅情報盤も呼び出されるので、呼出や応答に対する居住者の利便性が向上する。
【特許文献１】特開2000-165526号公報
【発明の開示】
【発明が解決しようとする課題】
【０００４】
しかしながら、同一住棟内の２世帯住戸、あるいは１家族が別れて入居した２住戸の一方で、不審者が侵入した、あるいは非常ベルが押された等の異常が起きても、他方にそれを報知する技術は現在提案されておらず、一方の居住者が電話等によって他方の居住者に通知するしかなかった。そこで、本発明は、住戸でセキュリティの異常が起きると、予め指定した住戸でも連動して警報出力する機能を有した集合住宅用インターホンシステムを提案する。
【課題を解決するための手段】
【０００５】
本発明による集合住宅用インターホンシステムは、住棟ロビーに設置されたロビー機と、前記住棟の各住戸に設置され、セキュリティセンサを備え、住戸内の異常を検知すると警報を出力する住戸親機と、前記ロビー機と前記住戸親機との間の通信を制御する通信制御装置とで構成された集合住宅用インターホンシステムであって、前記通信制御装置は、前記住戸毎に、前記セキュリティセンサが異常を検知したときに連動して警報を出力させるべき住戸親機を指定した連動住戸情報を登録する記憶部と、前記住戸親機から異常検知信号が送信されてきたときには、連動して警報を出力させるために、前記連動住戸情報に従って、対応した住戸に設置された住戸親機に連動指令信号を送信する連動制御部とを備え、前記集合住宅用インターホンシステムは、前記連動住戸情報を操作入力する操作装置を更に備える。
【０００６】
なお、前記操作装置は、前記通信制御部に一体として組み込まれた構成としてもよい。また、前記操作装置は、前記住戸親機に一体として組み込まれた構成としてもよい。
【０００７】
ここに、前記セキュリティセンサは、少なくとも、不審者の侵入を検知する防犯センサ、居住者が操作する非常ベル、居住者の活動状態を監視する活動センサのいずれか１種のものを含んでいる。なお、本発明は、ハンドセット付、ハンズフリーのいずれのインターホンシステムにも適用できる。
【発明の効果】
【０００８】
本発明によれば、特に、同一住棟内の２世帯住戸の場合、あるいは１家族が同一住棟の２住戸に別れて入居している場合等、双方の住戸で連動して警報しあうように連動住戸情報を登録しておけば、一方の住戸でセキュリティ異常が発生したときに、他方の住戸でも、その異常の発生を知ることができるため、双方の住戸で居住者が安心して生活できる。
【０００９】
連動住戸情報を入力するための操作装置を通信制御装置に一体として組み込んだ構成では、操作装置を通信制御装置だけに設ければよいので、システム全体のコストが抑えられる。また、操作部が管理人の管理下にあるので、居住者によって不用意に設定変更される虞がない。一方、操作装置を住戸親機に一体として組み込んだ構成では、連動住戸情報を、各住戸に設置された住戸親機の操作部で入力できるので便利である。
【００１０】
また、火災感知器、ガス漏れ警報器以外のセキュリティセンサについては、本発明によって連動対象が限定されるので、プライベート事項に関する警報によって無関係な居住者に迷惑をかける虞がない。
【発明を実施するための最良の形態】
【００１１】
以下、本発明の実施例を図に従って説明する。
【００１２】
図１は、ロビー機、住戸親機、通信制御装置の基本構成を説明するためのブロック図、図２は、本発明による集合住宅インターホンシステムの全体システム図、図３は、本発明による集合住宅インターホンシステムの住戸内システム図である。
【００１３】
インターホンシステム１は、来訪者を撮影するカメラ付きロビー機１１と、ロビー機１１が送出した動画データを再生するモニタテレビ付住戸親機１２と、ロビー機１１と住戸親機１２との間の信号伝送を制御する通信制御装置１３とで構成される。この集合住宅住棟はｎ階建てであり、１階のロビー、管理人室にはそれぞれ、ロビー機１１、通信制御装置１３が設置され、２〜ｎ階の住戸各部屋には、住戸親機１２が設置されている。１５は、後述する連動住戸情報を操作入力するための操作装置で、表示操作部、通信制御装置と通信するための伝送部（不図示）等を有する。この操作装置１５は、必要なときに、伝送線によってインターホンシステムに接続すればよい。
【００１４】
住戸親機１２には、ドアホン子器１４と、セキュリティセンサ２０として、例えば、火災感知器、ガス漏れ警報器、防犯センサとが接続されている。ロビー機１１と住戸親機１２との間の信号伝送は、所定のプロトコルによるデジタル通信によって行うようになっている。プロトコルに特段の制限はなく、例えば、ＴＣＰ／ＩＰ等のプロトコルが利用できる。なお、ロビー機１１、通信制御装置１３間の信号伝送におけるプロトコルと、伝送装置、住戸親機１２間の信号伝送におけるプロトコルは、同一であっても異なっていてもよい。
【００１５】
ロビー機１１は、例えばＣＣＤセンサあるいはＣＭＯＳセンサ等を有し来訪者を白黒あるいはカラーでビデオ撮影するカメラ１１ａと、カメラ１１ａが撮影したビデオ信号を所定形式の動画データに圧縮する動画圧縮部１１ｂと、通話部としてマイク１１ｃおよびスピーカ１１ｄが付加された音声圧縮伸張部１１ｅと、住戸を指定した呼出操作を受け付ける操作部１１ｆと、デジタル通信によって信号伝送を行う伝送部１１ｇと、これら各部を制御する制御部１１ｈとを備えている。
【００１６】
動画圧縮部１１ｂは、カメラ１１ａが撮影したビデオ信号を、所定のアルゴリズムに従って、例えばＭＰＥＧ２、ＭＰＥＧ４等の動画データにデジタル圧縮する回路で構成されている。また、音声圧縮伸張部１１ｅは、所定のアルゴリズムに従って、マイク１１ｃから取り込んだ音声信号をＡ／Ｄ変換し、更に所定形式の音声データにデジタル圧縮する回路と、住戸親機１２から送られてきた音声データを伸張し、更にＤ／Ａ変換して、スピーカ１１ｄから再生できる音声信号にする回路とで構成されている。
【００１７】
住戸親機１２は、小型液晶パネル等によるモニタテレビ１２ｊが付加され、伝送されてきた動画データを伸張する動画伸張部１２ｋと、通話部としてマイク１２ｃおよびスピーカ１２ｄが付加された音声圧縮伸張部１２ｅと、応答操作等を行う操作部１２ｆと、ドアホン子器１４を制御する子器制御部１２ｌと、デジタル通信による信号伝送を行う伝送部１２ｇと、自機に割り当てられたアドレス値を記憶した記憶部１２ｉと、セキュリティセンサ２０を制御するセンサ制御部１２ｍと、これら各部を制御する制御部１２ｈとを備えている。なお、アドレス情報は操作部１２ｆから入力されるが、通信制御装置１３からリモートで設定するようにしてもよい。なお、通話部は、ロビーインターホンとの通話以外に、セキュリティセンサ２０が異常を検知したときには、警報を音声出力するためにも用いられる。
【００１８】
センサ制御部１２ｍが制御するセキュリティセンサ２０は、例示した火災感知器、ガス漏れ警報器、防犯センサに限定されない。例えば、それら以外に、居住者が操作する非常ベル、居住者の活動状態を監視する活動センサ等でもよい。なお、活動センサは、居住者の日常生活での活動状態を監視するもので、風呂場等に設置された人体検知器や、ガスコンロ、電気ポット等に組み込まれてその操作を検知するセンサ等であり、年配者等が無事に生活していることを確認するためのものである。
【００１９】
動画伸張部１２ｋは、ロビー機１１の動画圧縮部１１ｂにおけるビデオ信号の圧縮処理に対応した伸張処理を行う回路で構成されている。また、音声圧縮伸張部１２ｅは、ロビー機１１の音声圧縮伸張部１１ｅと同様の構成である。
【００２０】
通信制御装置１３は、警報監視盤として構成され、ハブを有しロビー機１１と住戸親機１２との間で信号伝送を中継する伝送部１３ｇと、住戸番号と住戸親機１２に割り当てられたアドレス値との対応表、および通信制御装置１３に割り当てられたアドレス値、および住戸番号毎に、セキュリティセンサ２０が異常を検知したときに連動して警報を出力させるべき住戸親機１２を指定した連動住戸情報を記憶した記憶部１３ｉと、表示操作部１３ｆと、住戸親機１２から異常検知信号が送信されてくると、送信元の住戸親機１２が設置された住戸の部屋番号を特定して報知する監視部１３ｍと、特定した部屋番号に基づいて選択した連動住戸情報に従って、対応した住戸に設置された住戸親機１２に連動指令信号を送信して、連動して警報を出力させる連動制御部１３ｎと、これら各部を制御する制御部１３ｈとを備えている。
【００２１】
連動住戸情報は、異常検知信号の送信元となる住戸の部屋番号と、連動対象となる住戸の部屋番号とを組み合わせた対応表であるが、セキュリティセンサ２０の種別毎に独立した表としてもよい。例えば、火災感知器に対しては、どの住戸でも連動対象の住戸として、住棟の全住戸が指定されており、変更できない。しかしながら、それ以外のセキュリティセンサでは、連動対象の住戸を自由に指定でき、この点が本発明の特徴になっている。
【００２２】
すなわち、連動住戸情報は、操作装置１５で、セキュリティセンサ２０の種別、異常検知信号の送信元となる住戸の部屋番号、連動対象となる住戸の部屋番号を入力すれば、その情報が、通信制御装置１３に伝送されて、記憶部１３ｉに登録できる。なお、連動住戸情報の追加、削除、設定変更も可能である。
【００２３】
また、別構成として、操作装置１５を、通信制御装置１３に一体として組み込んだ構成も可能であり、連動住戸情報を入力するには、通信制御装置１３の表示操作部１３ｆを用いればよい。このようにすれば、操作装置１５は通信制御装置１３だけに設ければよいので、システム全体のコストが抑えられる。また、表示操作部１３ｆは、管理人の管理下にあるので、居住者によって不用意に設定変更される虞もない。
【００２４】
また、別構成として、操作装置１５を、住戸親機１２に一体として組み込んだ構成も可能である。すなわち、連動住戸情報は、住戸親機１２の操作部１２ｆで入力すれば、その情報が伝送されて、通信制御装置１３の記憶部１３ｉに登録されるようにしてもよい。このようにすれば、各住戸の居住者が自ら連動住戸情報を入力できるので便利である。しかしながら、この構成では、居住者の誤操作で連動対象の住戸が誤って登録される虞があるため、連動対象として指定された住戸の住戸親機１２に登録許可画面を表示して、登録前に許可を得る手段を設けることが望ましい。なお、その手段では、登録を常に拒否する設定もできることが更に望ましい。
【００２５】
インターホンシステムは、基本的な動作として、ロビー機１１で住戸を指定した呼出操作がなされると、通信制御装置１３が、対応した住戸親機１２を特定して、その住戸親機１２から着呼音を鳴動させ、その着呼音が鳴動している間に住戸親機１２で応答操作がなされると、通信制御装置１３は、その住戸親機１２との間で通信チャネルと、ロビー機１１との通信チャネルとを確立して、ロビー機１１と住戸親機１２との信号伝送を中継することにより、ロビー機１１と住戸親機１２との間の通話を許可し、ロビー機１１が送出した動画データを住戸親機１２で再生させる。なお、ロビー機１１は、カメラ１１ａが撮影したビデオ信号を動画データにデジタル圧縮して住戸親機１２に送出する。
【００２６】
また、セキュリティセンサ２０が住戸内の異常を検知すると、住戸親機１２は対応した警報を出力すると共に、通信制御装置１３に対して、センサの種別に対応した異常検知信号を送信する。異常検知信号は、住戸親機１２、通信制御装置１３のアドレス、作動したセンサの種別等の情報を含んでいる。通信制御装置１３は、その異常検知信号が送信されてくると、送信元の住戸親機１２が設置された住戸の部屋番号を特定して表示操作部から報知し、更に、記憶部１３ｉに登録されている連動住戸情報に従って、連動対象の住戸に設置された住戸親機１２に連動指令信号を送信して、連動して警報を出力させる。連動指令信号は、通信制御装置１３のアドレス、送信先である住戸親機１２のアドレス、送信元の住戸の部屋番号、作動したセンサの種別等の情報を含んでいる。
【００２７】
具体的な動作の例を挙げると、例えば、異常検知情報の送信元となる住戸において、防犯センサが異常を検知したとき、その住戸の住戸親機１２は、「ビービー、防犯センサが作動しました。異常がないか確認してください」というような警報を出力し、連動対象の住戸の住戸親機１２は、「ビービー、○○号室で防犯センサが作動しました。異常がないか確認してください」というような送信元の住戸の部屋番号を含んだ警報を出力する。なお、警報は音声だけではなく、表示部でも表示することが望ましい。
【００２８】
このような構成では、特に、同一住棟内の２世帯住戸の場合、あるいは１家族が同一住棟の２住戸に別れて入居している場合等、双方で、連動して警報しあうように連動住戸情報を設定しておけば、一方の住戸でセキュリティ異常が発生したときに、他方の住戸でも、その異常の発生を知ることができるため、双方の住戸で居住者が安心して生活できる。また、火災感知器、ガス漏れ警報器以外のプライベート事項に関するセキュリティセンサについては、本発明により、連動対象が限定されるので、警報によって無関係な居住者に迷惑をかける虞がない。
【００２９】
図３は、本発明による集合住宅用インターホンシステムによるセキュリティ異常発生時の連動動作を時系列的に示したフロー図であるが、ここでｎ０２号室の連動住戸情報では、連動対象の住戸として３０２号室が指定されていることを想定している。
【００３０】
このフローでは、ｎ０２号室においてセキュリティセンサ２０が異常を検知し、ｎ０２号室の住戸親機１２は、通信制御装置１３に対して異常検知信号を送信している（Ｓ１０１）。通信制御装置１３は、その異常検知信号を受信すると、送信元の住戸の部屋番号「ｎ０２」を特定し、その特定した部屋番号「ｎ０２」をキーとして連動住戸情報を参照して、連動すべき住戸の部屋番号「３０２」を取得し、３０２号室の住戸親機１２に対して、連動指令信号を送信している（Ｓ２０１〜２０４）。３０３２室の住戸親機１２は、その連動指令信号を受信すると、警報を連動して出力している（Ｓ３０１、３０２）。
【００３１】
その後、ｎ０２号室の住戸親機１２は、復帰動作を受け付けて警報の出力を停止し、通信制御装置１３に対して復帰信号を送信している（Ｓ１０４〜Ｓ１０６）。通信制御装置１３は、その復帰信号を受信すると、異常検知信号のときと同様に、送信元の住戸の部屋番号「ｎ０２」を特定し、その特定した部屋番号「ｎ０２」をキーとして連動住戸情報を参照して、連動すべき住戸の部屋番号「３０２」を取得し、３０２号室の住戸親機１２に対して、連動停止信号を送信している（Ｓ２０１〜２０４）。３０２号室の住戸親機１２は、その連動停止信号を受信すると、警報の出力を停止している（Ｓ３０１、３０２）。
【図面の簡単な説明】
【００３２】
【図１】ロビー機、住戸親機、通信制御装置の基本構成を説明するためのブロック図である。
【図２】本発明による集合住宅インターホンシステムの全体システム図である。
【図３】本発明による集合住宅インターホンシステムの住戸内システム図である。
【図４】本発明による集合住宅用インターホンシステムの連動動作を時系列的に示したフロー図である。
【符号の説明】
【００３３】
１      インターホンシステム
１１    ロビー機
１２    住戸親機
１３    通信制御装置
１３ｆ  操作部
１３ｉ  記憶部
１３ｍ  監視部
１３ｎ  連動制御部
１５    操作装置
２０    セキュリティセンサ
【図１】
2010050888.tif 000003
【図２】
2010050888.tif 000004
【図３】
2010050888.tif 000005
【図４】
2010050888.tif 000006